(57)【要約】【課題】土壌伝染性病害菌が根域に侵入することを阻止して作物の連作障害を防止することができる連作障害防止用遮根シートを提供する。【解決手段】透明なビニールハウス内で、２０ｃｍ乃至３０ｃｍの作土を堀り上げた後、遮根シート１を敷き周縁部を地上に露出させた。再度堀り上げた作土を戻しトマト２を栽培した。遮根シート１としては、透水係数が０．８×１０−２ｃｍ／ｓｅｃ〜１．０×１０−１ｃｍ／ｓｅｃである合成繊維長繊維製の不織布素材を使用した。このシート素材は、平均繊維が１．５乃至８．０デニール、目付重量が５０乃至３００ｇ／ｍ２、不織布密度が０．２ｇ／ｍ３以上、貫通抵抗が１．５Ｋｇ以上である。遮根シート１で根全体を囲むことで、良好な土壌水分を確保し、トマト２の根側への青枯病菌の侵入を遮断できた。【選択図】　図１
2004129616.tif 000002
【特許請求の範囲】
【請求項１】
ハウス栽培において作物の根全体を囲み且つ周縁部が地上に露出するように地下３０ｃｍ以内に敷かれる遮根シートであって、透水係数が０．８×１０−２ｃｍ／ｓｅｃ〜１．０×１０−１ｃｍ／ｓｅｃの合成繊維不織布からなることを特徴とする連作障害防止用遮根シート。
【発明の詳細な説明】
【０００１】
【発明の属する技術分野】
本発明は、作物の連作障害を防止する技術に関し、より詳しくは、作物の根域を不織布製遮根シートで包囲して、土壌伝染性病害菌による病害等の連作障害を防止する栽培技術に関する。
【０００２】
【従来の技術】
従来、同一の土壌に同一の作物を継続して栽培した場合、被病率の増加、作物の生育阻害、収穫減少などを招く、いわゆる連作障害に悩まされることがある。例えば、ミニトマトの栽培では、土壌伝染性病害菌により青枯病が発生し、収量が大幅に減少することが最大の悩みとなっている。
【０００３】
多いときには、ミニトマトの作付け面積の３０％以上が青枯病の被害に見舞われることがある。このようなときは、ミニトマトの栽培を中止して、他の作物（キュウリ等）の栽培に変更せざるを得なくなる。そこで、作物の連作障害を防止するために、土壌の環境維持に関する種々の栽培技術が提案されている（例えば、特許文献１参照。）。
【０００４】
【特許文献１】
特開平４−４８１８号公報（第２−４頁、第１図）
【０００５】
【発明が解決しようとする課題】
しかしながら、上記のような土壌の環境維持を図っても、作物の生育を根本的に促進させることはできない。例えば、周辺に棲息する土壌伝染性病害菌が作物の根域に侵入するため、作物の連作障害を十分に防止することは期待できない。本発明者は、上記課題に鑑み鋭意研究の末、土壌伝染性病害菌が根域に侵入することを阻止して作物の連作障害を防止することができる、連作障害防止用遮根シートを提供することを目的とする。
【０００６】
【課題を解決するための手段】
この目的を達成するため、本発明は、ハウス栽培において作物の根全体を囲み且つ周縁部が地上に露出するように地下３０ｃｍ以内に敷かれる遮根シートであって、透水係数が０．８×１０−２ｃｍ／ｓｅｃ〜１．０×１０−１ｃｍ／ｓｅｃの合成繊維不織布からなることを特徴とする。
【０００７】
本発明は、互いに隣接する複数区画の土壌に作物を栽培する場合、全ての区画又は特定の区画に根域制限栽培を行う。まず、作土を地中３０ｃｍ以内の深さに堀り上げ、この上に遮根シートを敷く。そして、再度堀り上げた作土を戻し、遮根シートで地中全ての根域を制限して、作物のハウス栽培を行う。この場合、作物の地下領域全体を遮根シートで包囲するために、遮根シートの周縁部は地上に露出させる。作物の地下領域全体を包囲する理由は、、周囲に棲息する青枯病菌等の土壌伝染性病害菌が、シートを通過して根域側に侵入することを遮断するためである。
【０００８】
本発明では、遮根シートの最大深さは地下３０ｃｍ程度、より好ましくは地下２５ｃｍ程度とする。これは、地下３０ｃｍ以内の領域では、陽熱消毒によって土壌消毒の効果が有効に生じる反面、地下３０ｃｍを越えると、有効な土壌消毒の効果が無くなるからである。
【０００９】
遮根シートの素材としては、透水係数が０．８×１０−２ｃｍ／ｓｅｃ以上１．０×１０−１ｃｍ／ｓｅｃ以下である合成繊維長繊維製の不織布を使用する。これは、透水係数が０．８×１０−２ｃｍ／ｓｅｃ未満だと、土壌中での水の透過性が低下して、作物の水分不足が懸念される反面、透水係数が１．０×１０−１ｃｍ／ｓｅｃを越えると、素材の空隙が過大になって物質の透過性が高くなりすぎて、土壌伝染性病害菌に対する遮断効果が無くなるからである。
【００１０】
本発明によると、透水係数が０．８×１０−２ｃｍ／ｓｅｃ〜１．０×１０−１ｃｍ／ｓｅｃである合成繊維長繊維不織布製の遮根シートを使用して、ある区画の作物の根全体を包囲したので、シート周辺に青枯病菌等の土壌伝染性病害菌が棲息していた場合であっても、病害菌がシートを通過して作物の根側に侵入することを遮断できる。したがって、たとえば、隣の栽培区画または当該遮根シートの地下周囲に青枯病菌が存在しても、この青枯病菌が遮根シートを通過進入することを阻み、その結果、根域制限栽培した作物の根に青枯病菌が付着することを防ぎ、青枯病の伝染発生を確実に防止することができる。従来の通常栽培では、青枯病による被害が作付け面積の３０パーセント程度もあったのが、本発明を適用したことで、青枯病による被害は殆どなくなった。具体的には、青枯病の発生比率は１乃至２パーセント以下に激減した。
【００１１】
このように本発明は、作物の病原菌の移動進入を阻止して作物病の伝染による連作障害を未然に防止するものである。また、地中３０ｃｍ以内の根域全体を遮根シートで制限栽培すると、連作障害を防止して作物の生長が促進され、作物の糖度や食味が向上する。例えば、メロンやミニトマト等の果樹栽培では陽熱土壌消毒の効果が高くなることと相まって、青枯病を阻止できるうえに糖度を増大させることができる。また軟弱野菜類や花卉の栽培では、土壌水分コントロールが最適に保持され、着花を安定化させることができる。
【００１２】
【発明の実施の形態】
次に、本発明の実施の形態を図面に示す実施例に基づいて説明する。図１は本発明の一実施例に係る遮根シートの使用状態を説明する断面図、図２は比較例に係る遮根シートの使用状態を説明する断面図である。
【００１３】
【実施例１】
本実施例は、ミニトマトの青枯病を防除するため、ミニトマトの根域全体を遮根シートで囲って根張りを規制したもので、根域周辺に棲息する青枯病菌が、ミニトマトの根に感染することを物理的に阻止したものである。具体的には、透明なビニールハウスの中でミニトマトのコンテナ栽培および圃場栽培を行った。まず、地中深さｄ＝２０ｃｍ乃至３０ｃｍの作土を堀り上げ、図１に示すように、黒色の遮根シート１を敷いた。この場合、ミニトマト２の地中領域全体を遮根シート１で囲むために、遮根シート１の両側全周縁部を地表に露出させた。このあと堀り上げた作土を再度埋め戻し、ミニトマト２を栽培した。遮根シート１としては、透水係数が０．８×１０−２ｃｍ／ｓｅｃ乃至１．０×１０−１ｃｍ／ｓｅｃである合成繊維長繊維不織布により製作したもの（東レ株式会社株製、商品名アクスターＧ２２００ＢＫまたはＢ５２０ＢＫ）を使用した。この遮根シート１は、圧接接着された合成繊維長繊維（ポリエステル）からなっていて、構成繊維の平均繊維が１．５乃至８．０デニール、目付重量が５０乃至３００ｇ／ｍ２で、不織布密度が０．２ｇ／ｍ３以上かつ貫通抵抗が１．５Ｋｇ以上であった。
【００１４】
比較例１として、図２に示すように、根域制限を行わない通常の方法でミニトマト３を栽培した。その結果、比較例１でも陽熱消毒により、深さＤ＝３０ｃｍ以内の地下部分が高温になって土壌消毒が効いたが、特にミニトマト３の根の深さ３０ｃｍ以上の深い領域に青枯病菌が付着接触して、ミニトマト３の根全体に青枯病が伝染した。これに対して、実施例１では、地中深さ２０ｃｍ乃至３０ｃｍの根域全体を遮根シート１により包囲制限したので、根が深さ３０ｃｍ以深領域に伸びることがなく、青枯病菌は遮根シート１の下側にのみ限って棲息していた。したがって、ミニトマト２の根には青枯病菌が触れることはなく、ミニトマト２に青枯病が伝染しなかった。
【００１５】
比較例２として、透水係数が０．８×１０−２ｃｍ／ｓｅｃ未満の黒色の遮根シート、すなわち浸水後１分以上で透水する透水性の小さい遮根シートを用い、上記同様にミニトマトの根域制限栽培を行った。その結果、土壌中での物質の透過性が低くなりすぎて、土壌中水分が不足してミニトマトの生長が阻害された。しかも、コンテナ栽培では有効な遮根効果がみられず、土中穿孔の抵抗性も殆どみられなかった。
【００１６】
また比較例３として、透水係数が１．０×１０−１ｃｍ／ｓｅｃを越える黒色の遮根シート、すなわち出荷状態で１分以内で透水する透水性の大きい遮根シートを用い、上記同様にミニトマトの根域制限栽培を行った。その結果、土壌中での物質の透過性が高くなりすぎて、土壌の水分がやや過剰になってミニトマトの生長が阻害された。しかも、圃場栽培では有効な遮根効果がみられず、土中穿孔の抵抗性も殆どみられなかった。
【００１７】
その点、実施例１では、透水係数が０．８×１０−２ｃｍ／ｓｅｃ乃至１．０×１０−１ｃｍ／ｓｅｃの範囲の遮根シート１、すなわち浸水後１分以内で透水する遮根シート１で根域制限を行ったので、土壌中での物質の透過性が適度になり、土壌の水分状態も適度に維持されてミニトマト２の生長が促進された。しかも、コンテナ栽培及び圃場栽培の双方共に有効な遮根効果がみられ、土中穿孔の抵抗性もみられた。この場合、黒色の遮根シート１に代えて、灰色などの他の色の遮根シート１を用いて、上記同様に根域制限栽培を行った。その結果、黒色の遮根シート１を用いた場合と比べて、圃場栽培では有効な遮根効果が十分に得られず、土中穿孔の抵抗性も殆どみられなかった。
【００１８】
【実施例２】
実施例２では、透明なビニールハウスの中でメロンを温室栽培した。栽培区は、透水係数０．８×１０−２ｃｍ／ｓｅｃ乃至１．０×１０−１ｃｍ／ｓｅｃの上記黒色遮根シート１で根域制限して栽培した少量区、中量区、多量区及び超多量区と、根域制限しない通常の地床栽培による地床区とで構成した。遮根シート１の幅は６０ｃｍとし、少量区、中量区、多量区及び超多量区の土厚（根域制限の全体深さ）は、それぞれ１５、２０、２５ｃｍ及び３０ｃｍ超過とした。耕種の概要は、播種日：１０月２４日、定植日：１１月８日、畦幅：１３５ｃｍ、株間：４５ｃｍ、整枝方法：結果枝は目標１２節に１本のみ残して交配、交配日：１２月１１日から１２月１３日、収穫日：２月９日とした。
【００１９】
この結果を考察したところ、ネットについては、少量区〜多量区のシート区で密度、揃いともに良く、超多量区と地床区でやや不揃いであった。糖度については、少〜多量のシート区で安定しており、特に少量区と中量区で高かったが、超多量区と地床区では低かった。メロンの食味については、シート区で優れ超多量区と地床区ではやや軟化した。以上のことから、上記遮根シート１で地中深さ３０ｃｍ以内の根域制限して栽培すると、メロンの糖度や食味が向上して、連作に対する障害防止効果が高くなり、深さ３０ｃｍを越えると、この効果が低下することが判った。
【００２０】
上記実施例１、２において、透水係数０．８×１０−２ｃｍ／ｓｅｃ乃至１．０×１０−１ｃｍ／ｓｅｃの合成繊維長繊維不織布により製作した遮根シート１を使用して、深さ３０ｃｍ以内の根域制限にてメロンやミニトマトを栽培すると、根域に対する陽熱土壌消毒の効果が実質的に高くなるだけでなく、適正な土壌水分コントロールが常に保たれ、青枯病菌などの土壌伝染性病害菌の進入付着を未然に阻止できた。また、直根を防止し、糖度が増大すると共に着花が安定した。特に、土壌水分コントロールの効果は、軟弱野菜類や花卉の栽培で高くなり、陽熱土壌消毒や糖度増大の効果は、メロンやミニトマト等の果樹の栽培で高くなった。
【００２１】
尚、本発明は上記実施例に限定されず、種々の応用変形例が可能である。上記実施例において、作物の種類によっては、遮根シートの下部に砂利を敷いて粗孔階層を設けることができる。また、必要ならば遮根シートを二重に敷くことも可能である。また、いちごのハウス栽培においては、本発明に係る白色の遮根シートを用いて根域制限栽培しても、最適な土壌水分コントロールが保たれ陽熱土壌消毒や糖度増大の効果が高くなった。
【００２２】
【発明の効果】
以上、本発明によれば、所定範囲の透水係数をもつ合成繊維不織布製の遮根シートで根域全体を包囲して土壌伝染性病害菌の侵入を阻むことにより、従来栽培では防止困難であった連作障害を有効確実に防止することができる。メロンやミニトマト等の果樹の栽培では、高い陽熱土壌消毒効果と相まって、青枯病を阻止できると共に糖度を増大させることができ、また軟弱野菜類や花卉の栽培では、最適な土壌水分コントロールを常時維持でき、着花を安定化させることができるという優れた効果がある。
【図面の簡単な説明】
【図１】本発明の一実施例に係る遮根シートの使用状態を説明する断面図である。
【図２】比較例に係る遮根シートの使用状態を説明する断面図である。
【符号の説明】
１　遮根シート
２　ミニトマト
３　ミニトマト
ｄ　地中深さ
Ｄ　地中深さ
【図１】
2004129616.tif 000003
【図２】
2004129616.tif 000004